(57)【要約】【課題】  本考案は、特に重度身体障害などの被介護者の一般家庭での入浴に好適な入浴補助装置を提供するものである。一般家庭での入浴には、専門施設のような設備を利用し、必要な人員を配置することができない。このような問題を解決しようとするものである。【解決手段】  浴室の壁７に固定するよう取付けられた取付け縦枠部２と水平状態で回動可能に連結された伸縮アーム部３の下面には、昇降調整自在の昇降部４を取付け、昇降部４には被介護者が乗るモッコ部６が吊り下げられている。【選択図】      図１
0003106514.tif 000002
【実用新案登録請求の範囲】
【請求項１】
浴室の壁（７）に固定するよう取付けられた取付け縦枠部（２）と、取付け縦枠部（２）に水平状態で回動可能に連結された伸縮アーム部（３）と、伸縮アーム部（３）の下面に取付けた滑車機構を利用した昇降部（４）と、取付け縦枠部（２）に取付けた昇降部（４）を昇降操作する昇降操作部（５）と、昇降部（４）に吊り下げた被介護者が乗るモッコ部（６）から構成されていることを特徴とする入浴補助装置。
【請求項２】
取付け縦枠部（２）と、伸縮アーム部（３）と、昇降部（４）と、昇降操作部（５）と、モッコ部（６）から構成され、
浴室における壁（７）に取付けられた取付け縦枠部（２）は、左方面を浴室の壁への取付け面とする所定寸法の角パイプでなる基枠（２Ａ）と、基枠の右方面の上方部分に設けられた支点用ブラケット（２Ｂ）と、基枠の前後面の上下部分に設けられた固定用突片（２Ｃ）から構成され、支点用ブラケット（２Ｂ）は、基枠から右方に突出させた上下の突片（２Ｂ１）と、これら突片間に張設された縦軸（２Ｂ２）から構成され、
伸縮アーム部（３）は、左方の基部アーム（３Ａ）と、この基部アームに対して進退自在に構成された伸縮アーム（３Ｂ）から構成され、基部アーム（３Ａ）の左端は、支点用ブラケット（２Ｂ）の縦軸（２Ｂ２）に回動可能の状態で水平に支持され、
昇降部（４）は、伸縮アーム（３Ｂ）の先端下面にブラケット（４Ａ１）を介して取付けられた固定滑車（４Ａ）と、基部アーム（３Ａ）の左方下面にブラケットを介して取付けられた案内用固定滑車（４Ｂ）と、固定滑車（４Ａ）の真下に位置すべき吊上げフック（４Ｃ１）を有する可動滑車（４Ｃ）と、固定滑車（４Ａ）、案内用固定滑車（４Ｂ）、可動滑車（４Ｃ）に掛架され、右方先端（４Ｄ１）がブラケット（４Ａ１）に連結されているロープ（４Ｄ）から構成され、
昇降操作部（５）は、基枠（２Ａ）の右方面の下方部分に機械室（５Ａ）から突出された正転逆転自在の軸（５Ａ１）と、軸に固着されたワイヤードラム（５Ｂ）と、ハンドル（５Ｃ）から構成され、ワイヤードラム（５Ｂ）にはロープ（４Ｄ）の左方先端（４Ｄ２）が連結され、軸（５Ａ１）は、ハンドル（５Ｃ）で回動するよう構成され、
モッコ部（６）は、平面方形の網（６Ａ）と、網の四隅に取付けたひも（６Ｂ）と、ひもの上端に連結された支持用横棒（６Ｃ）から構成され、支持用横棒の上面中央には可動滑車（４Ｃ）の吊上げフック（４Ｃ１）に係脱するフック（６Ｃ１）が突出されていることを特徴とする入浴補助装置。
【請求項３】
請求項２記載の入浴補助装置における伸縮アーム部（３）は、基部アーム（３Ａ）を所定寸法の角筒で構成し、側壁には所定間隔をもって調整用孔（３Ａ１）が開設され、一方、伸縮アーム（３Ｂ）は、基部アーム（３Ａ）に挿入した状態で進退ができる角筒で構成し、側壁には所定間隔をもって調整用孔（３Ｂ１）が開設され、調整用孔（３Ａ１、３Ｂ１）には、固定ボルト（３Ｃ）が着脱自在に取付けられていることを特徴とする入浴補助装置。
【請求項４】
請求項２記載の入浴補助装置における昇降操作部（５）の軸（５Ａ１）は、ウオーム減速機（５Ｃ１）などを介してハンドル（５Ｃ）で回動するよう構成されていることを特徴とする入浴補助装置。
【請求項５】
請求項２記載の入浴補助装置における昇降操作部（５）の軸（５Ａ１）は、正逆転モータ（５Ｄ）で回動するよう構成されていることを特徴とする入浴補助装置。
【考案の詳細な説明】
【技術分野】
【０００１】
本考案は、新規な構成を有する入浴補助装置に関するものである。特に、重度身体障害などの被介護者の入浴に好適なものである。
【背景技術】
【０００２】
従来のこの種被介護者の入浴については、下記のようになっている。
浴室内には、洗い場と浴槽が設けられているが、被介護者が入浴する場合、洗い場から浴槽への移動あるいは浴槽から洗い場への移動が困難であったり、不可能であったりする。
そこで、介護者が世話をすることになるが、これが重労働であることは当然であるが、場合によっては多数の介護者を必要とする。
このようなことから専門施設では、設備と人員の配置を行っている。
【考案の開示】
【考案が解決しようとする課題】
【０００３】
従来の技術には、一応下記のような問題点を指摘することができる。
一般家庭での入浴には、専門施設のような設備を利用し、必要な人員を配置することができないことは明らかである。
家族の少ない家庭にあっては、入浴の介護はほとんど不可能であると云わざるを得ないのが実態である。
さらに、専門施設に入所していない被介護者が入浴を所望する時は、その都度、専門施設に出向かなければならないことは如何にも不便極まりないことである。
【課題を解決するための手段】
【０００４】
本考案は、上述のような問題を解決するため、下記のようになるものである。
【０００５】
請求項１記載の考案は、浴室の壁７に固定するよう取付けられた取付け縦枠部２と、取付け縦枠部２に水平状態で回動可能に連結された伸縮アーム部３と、伸縮アーム部３の下面に取付けた滑車機構を利用した昇降部４と、取付け縦枠部２に取付けた昇降部４を昇降操作する昇降操作部５と、昇降部４に吊り下げた被介護者が乗るモッコ部６から構成されていることを特徴とするものである。
【０００６】
請求項２記載の考案は、取付け縦枠部２と、伸縮アーム部３と、昇降部４と、昇降操作部５と、モッコ部６から構成され、
ａ．浴室における壁７に取付けられた取付け縦枠部２は、左方面を浴室の壁への取付け面とする所定寸法の角パイプでなる基枠２Ａと、基枠の右方面の上方部分に設けられた支点用ブラケット２Ｂと、基枠の前後面の上下部分に設けられた固定用突片２Ｃから構成され、支点用ブラケット２Ｂは、基枠から右方に突出させた上下の突片２Ｂ１と、これら突片間に張設された縦軸２Ｂ２から構成され、
ｂ．伸縮アーム部３は、左方の基部アーム３Ａと、基部アームに対して進退自在に構成された伸縮アーム３Ｂから構成され、基部アーム３Ａの左端は、支点用ブラケット２Ｂの縦軸２Ｂ２に回動可能の状態で水平に支持され、
ｃ．昇降部４は、伸縮アーム３Ｂの先端下面にブラケット４Ａ１を介して取付けられた固定滑車４Ａと、基部アーム３Ａの左方下面にブラケットを介して取付けられた案内用固定滑車４Ｂと、固定滑車４Ａの真下に位置すべき吊上げフック４Ｃ１を有する可動滑車４Ｃと、固定滑車４Ａ、案内用固定滑車４Ｂ、可動滑車４Ｃに掛架され、右方先端４Ｄ１がブラケット４Ａ１に連結されているロープ４Ｄから構成され、
ｄ．昇降操作部５は、基枠２Ａの右方面の下方部分に機械室５Ａから突出された正転逆転自在の軸５Ａ１と、軸に固着されたワイヤードラム５Ｂと、ハンドル５Ｃから構成され、ワイヤードラム５Ｂにはロープ４Ｄの左方先端４Ｄ２が連結され、軸５Ａ１は、ハンドル５Ｃで回動するよう構成され、
ｅ．モッコ部６は、平面方形の網６Ａと、網の四隅に取付けたひも６Ｂと、ひもの上端に連結された支持用横棒６Ｃから構成され、支持用横棒の上面中央には可動滑車４Ｃの吊上げフック４Ｃ１に係脱するフック６Ｃ１が突出されていることを特徴とするものである。
【０００７】
請求項３記載の考案は、請求項２記載の考案における伸縮アーム部３は、基部アーム３Ａを所定寸法の角筒で構成し、側壁には所定間隔をもって調整用孔３Ａ１が開設され、一方、伸縮アーム３Ｂは、基部アーム３Ａに挿入した状態で進退ができる角筒で構成し、側壁には所定間隔をもって調整用孔３Ｂ１が開設され、調整用孔３Ａ１、３Ｂ１には、固定ボルト３Ｃが着脱自在に取付けられていることを特徴とするものである。
【０００８】
請求項４記載の考案は、請求項２記載の考案における昇降操作部５の軸５Ａ１は、ウオーム減速機５Ｃ１などを介してハンドル５Ｃで回動するよう構成されていることを特徴とするものである。
【０００９】
請求項５記載の考案は、請求項２記載の考案における昇降操作部５の軸５Ａ１は、正逆転モータ５Ｄで回動するよう構成されていることを特徴とするものである。
【考案の効果】
【００１０】
本考案は、上述のように構成されているので、下記のような効果を期待することができる。
【００１１】
ａ．被介護者を洗い場から浴槽に移動させる場合、伸縮アーム部３を縦軸２Ｂ２を中心に回動させ、洗い場の上方に位置するようセットする。
昇降操作部５の操作により、モッコ部６を所望する高さに位置させる。
被介護者をモッコ部６に腰を掛ける状態で乗せる。
伸縮アーム部３を回動させ、浴槽の上方に位置させたのち、モッコ部６を浴槽内に降下させ被介護者を浴槽底部に位置させる。
【００１２】
ｂ．被介護者を浴槽から洗い場に移動させようとする場合、上述した被介護者を洗い場から浴槽に移動させる場合とは逆の作業を行うことになる。
【００１３】
ｃ．上記ａ、ｂの作業に際して、伸縮アーム部３の回動は縦軸２Ｂ２を中心に操作するよう構成されていると共に、モッコ部６の昇降は昇降操作部５で操作するよう構成されているから、軽作業により簡単かつ確実に行うことができる。
【００１４】
ｄ．入浴補助装置は、浴室における壁７に取付け縦枠部２を取付けるだけの簡単な作業なので、一般家庭ばかりでなく専門施設などにも設置することができる。
ｅ．不使用時には、浴室の壁側に伸縮アーム部を寄せることにより邪魔にならない。
ｆ．構造が比較的簡単に構成されているから、安価な量産に好適なものである。
【考案を実施するための最良の形態】
【００１５】
図面を参照して実施の形態の詳細を説明する。
１は本考案の入浴補助装置である。
その構成は、取付け縦枠部２と、伸縮アーム部３と、昇降部４と、昇降操作部５と、モッコ部６から構成されている。
７は入浴補助装置１を取付ける浴室における壁で、７Ａは浴槽である。
【００１６】
ａ．浴室における壁７に取付けられた取付け縦枠部２は、左方面を浴室の壁への取付け面とする所定寸法の角パイプでなる基枠２Ａと、基枠の右方面の上方部分に設けられた支点用ブラケット２Ｂと、基枠の前後面の上下部分に設けられた固定用突片２Ｃから構成されている。
支点用ブラケット２Ｂは、基枠から右方に突出させた上下の突片２Ｂ１と、これら突片間に張設された縦軸２Ｂ２から構成されている。
【００１７】
ｂ．伸縮アーム部３は、左方の基部アーム３Ａと、この基部アームに対して進退自在に構成された伸縮アーム３Ｂから構成されている。
そして、基部アーム３Ａの左端は、支点用ブラケット２Ｂの縦軸２Ｂ２に回動可能の状態で水平に支持されている。
【００１８】
ｃ．具体的構成を説明する。
基部アーム３Ａを所定寸法の角筒で構成し、側壁には所定間隔をもって調整用孔３Ａ１が開設されている。
一方、伸縮アーム３Ｂは、基部アーム３Ａに挿入した状態で進退ができる角筒で構成し、側壁には所定間隔をもって調整用孔３Ｂ１が開設されている。
調整用孔３Ａ１、３Ｂ１には、固定ボルト３Ｃが着脱自在に取付けられている。
【００１９】
ｄ．昇降部４は、伸縮アーム３Ｂの先端下面にブラケット４Ａ１を介して取付けられた固定滑車４Ａと、基部アーム３Ａの左方下面にブラケットを介して取付けられた案内用固定滑車４Ｂと、固定滑車４Ａの真下に位置すべき吊上げフック４Ｃ１を有する可動滑車４Ｃと、固定滑車４Ａ、案内用固定滑車４Ｂ、可動滑車４Ｃに掛架され、右方先端４Ｄ１がブラケット４Ａ１に連結されているロープ４Ｄから構成されている。
【００２０】
ｅ．昇降操作部５は、基枠２Ａの右方面の下方部分に機械室５Ａから突出された正転逆転自在に構成された軸５Ａ１と、軸に固着されたワイヤードラム５Ｂと、ハンドル５Ｃから構成され、ワイヤードラム５Ｂにはロープ４Ｄの左方先端４Ｄ２が連結されている。
なお、軸５Ａ１は、図４のようにウオーム減速機５Ｃ１などを介してハンドル５Ｃで回動するよう構成されている。
また、軸５Ａ１は、図５のように正逆転モータ５Ｄで回動するよう構成することもできる。
【００２１】
ｆ．モッコ部６は、平面方形の網６Ａと、網の四隅に取付けたひも６Ｂと、ひもの上端に連結された支持用横棒６Ｃから構成され、支持用横棒の上面中央には可動滑車４Ｃの吊上げフック４Ｃ１に係脱するフック６Ｃ１が突出されている。
【図面の簡単な説明】
【００２２】
【図１】使用状態を示す斜視図である。
【図２】モッコ部を省略した全体の斜視図である。
【図３】Ａ−Ａ線拡大端面図である。
【図４】モッコ部を省略した一部を切欠いた正面図である。
【図５】他の実施例を示す要部拡大斜視図である。
【符号の説明】
【００２３】
１  入浴補助装置
２  取付け縦枠部
３  伸縮アーム部
４  昇降部
５  昇降操作部
６  モッコ部
【図１】
0003106514.tif 000003
【図２】
0003106514.tif 000004
【図３】
0003106514.tif 000005
【図４】
0003106514.tif 000006
【図５】
0003106514.tif 000007